(57)【要約】      （修正有）【課題】鋼矢板の継目部分の完全な密封により地下水の流出を閉鎖することができる止水用鋼矢板を提供する。【解決手段】止水用鋼矢板１の片方の縦端部９にＵ字形部１０を設け、又他方の縦端部３には底面５を持つＣ形長尺材４を接合して一体とし、この底面にはＵ字形部の先端部の断面と同形状の切込み部６を設けて嵌合するようにし、更にＣ形長尺材の縦側面を前記Ｕ字形部のＵ字底１１の肉厚と同一寸法で縦方向に切離して嵌合するようにし、この縦端部のＵ字形部に次に打込む同形の止水用鋼矢板２のＣ形長尺材の底面の切込み部を合せて打込み、この切込み部及びＣ形長尺材縦方向の切離部７をＵ字形部の外周面に密接して挿入させていくことにより、止水用鋼矢板１及び２は結合される。そして次にこの内部空間８に経時硬化する充填液を注入して、これを硬化させ連結部の隙間を密封して、地下水の流入を遮断しうるようにする。【選択図】図３
2015086673.tif 000002
【特許請求の範囲】
【請求項１】
止水用鋼矢板の構造において止水用鋼矢板（１）の片方の縦端部（９）にＵ字形部（１０）を設け、又他方の縦端部（３）には底面（５）を持つＣ形長尺材（４）を接合して一体とし、この底面（５）には前記Ｕ字形部（１０）の先端部の断面と同形状の切込み部（６）を設けて嵌合するようにし、更にＣ形長尺材（４）の縦側面を前記Ｕ字形部（１０）のＵ字底（１１）の肉厚と同一寸法で縦方向に切離して、嵌合するようにし、この止水用鋼矢板（１）の最初の一本目を地中に所定の深さまで打込んだ後、この縦端部（９）のＵ字形部（１０）に次に打込む同形の止水用鋼矢板（２）のＣ形長尺材（４）の底面（５）の切込み部（６）を合わせて打込むことにより、この切込み部（６）及びＣ形長尺材の縦方向の切離部（７）をＵ字形部（１０）の外周面に密接して、挿入させていくことによりＵ字形部（１０）はＣ形長尺材（４）の内部空間（８）より脱出不可能な状態となって両止水用鋼矢板（１）及び（２）は結合される、そしてその間、内部空間（８）には付近の地下水及び土砂の浸入は防止され、次にこの内部空間（８）に経時硬化する充填液を注入して、これを硬化させ連結部の隙間を密封して、地下水の流入を遮断しうるようにした止水用鋼矢板の構造。
【請求項２】
請求項１に記載の止水用鋼矢板の構造において、止水用鋼矢板（１）の片方に縦端部（９）にＵ字形部（１０）を設ける代りにＨ字形部（１６）を設け、又他方の縦端部（３）の底面（５）には前記Ｈ字形部（１６）の先端部の断面と同形状の切込部（１８）を設けて嵌合するようにし、更にＣ形長尺材（４）の縦側面を前記Ｈ字形部（１６）のＨ字中央（１７）の肉厚と同一寸法で縦方向に切離して嵌合するようにした止水用鋼矢板の構造。
【請求項３】
請求項１に記載の止水用鋼矢板の構造において、Ｃ形長尺材（４）の内部の空間（８）に充填液圧送用鋼管（１２）を設置して、上方に設置したタンク（１４）内の充填液をピストン（１５）による押圧、振動押圧又は圧縮空気圧により、圧送用鋼管（１２）を通過してその底の開口（１３）よりＣ形長尺材（４）内に噴出させ、内部空間（８）を下方より充満させるようにした止水用鋼矢板の構造。
【発明の詳細な説明】
【技術分野】
【０００１】  地下水の流出を鋼矢板により完全に閉鎖しようとするものである。
【背景技術】
【０００２】  地下水の流出を通常の鋼矢板を連結して、これにより完全に止水することは現在では不可能である、このため凍結土壁により止水を行う方法が考えられているが、技術的難点と設置費用のため問題を残している。
【発明の開示】
【発明が解決しようとする課題】
【０００３】  鋼矢板の継目部分の密封により地下水の流出を閉鎖するものである。
【課題を解決するための手段】
【０００４】  止水用鋼矢板の構造において、止水用鋼矢板１の片方の縦端部９にＵ字形部１０を設け、又他方の縦端部３には底面５を持つＣ形長尺材４を接合して一体とし、この底面５には前記Ｕ字形部１０の先端部の断面と同形状の切込み部６を設けて嵌合するようにし、次にＣ形長尺材４の縦断面を前記Ｕ字形部１０のＵ字底１１の肉厚と同一寸法で縦方向に切離して、嵌合するようにする。【０００５】  止水用鋼矢板１の最初の一本目を地中に所定の深さまで打込んだ後、この縦端部９のＵ字形部１０に次に打込む同形の止水用鋼矢板２のＣ形長尺材４の底面５の切込み部６を合せて打込むことにより、この切込み部６及びＣ形長尺材縦方向の切離部７をＵ字形部１０の外周面に密接して、挿入させていくことによりＵ字形部１０はＣ形長尺材４の内部空間８より脱出不可能な状態となって両止水用鋼矢板１及び２は結合される、そしてその間内部空間８には付近の地下水及び土砂の侵入は防止される。【０００６】  次に内部空間８に経時硬化する充填液を注入してこれを硬化させ連結部の隙間を密封して、地下水の流入を遮断しうるようにする。
【発明の効果】
【０００７】  本発明の止水用鋼矢板で地下水の流出を阻止できる、そして長尺の止水用鋼矢板を使用できるので深い水脈も阻止することが出来る。
【図面の簡単な説明】
【０００８】
【図１】本発明の実施形態の一例として、止水用鋼矢板の断面図
【図２】図１の止水用鋼矢板の下部正面図
【図３】図１の止水用鋼矢板の両端に同形止水用鋼矢板を連結したときの断面図
【図４】図３の連結した止水用鋼矢板の下部正面図
【図５】本発明の実施形態の一例として、最初の鋼矢板を打込埋設した後、次の鋼矢板を打込まんとするときの正面図
【図６】図３の次の鋼矢板を打込埋設した後、充填液圧送用鋼管を挿入したときの正面図
【図７】本発明の実施形態の別の一例として止水用鋼矢板を結合したときの断面図
【発明を実施するための形態】
【０００９】  止水用鋼矢板１の片方の縦端部９にＵ字形部１０を設け、又他方の縦端部３には底面５を持つＣ形長尺材４を接合して一体とし、この底面５には前記Ｕ字形部１０の先端部の断面と同形状の切込み部６を設けて嵌合するようにし、更にＣ形長尺材４の縦側面を前記Ｕ字形部１０のＵ字底１１の肉厚と同一寸法で縦方向に切離して嵌合するようにする、底面５の切込み部６は機械加工して、Ｕ字形部１０の断面と密接するように仕上げすることが望ましい、又円滑に滑動するため、その材質を銅合金製又は合成樹脂製とすることも望ましい。
【００１０】  止水用鋼矢板１の最初の一本目を地中に所定の深さまで打込んだ後、この縦端部９のＵ字形部１０の次に打込む同形の止水用鋼矢板２のＣ形長尺材４の底面５の切込み部６を合せて打込むことにより、この切込み部６及びＣ形長尺材の縦方向の切離部７をＵ字形部１０の外周面に密接して、挿入させていくことによりＵ字形部１０はＣ形長尺材４の内部空間８より脱出不可能な状態となって両止水用鋼矢板１及び２は結合される。
【００１１】  そしてその間内部空間８には付近の地下水及び土砂の侵入はほとんど無く、万一侵入しても内部空間８の底部に落下し堆積される、次にこの内部空間８に経時硬化する充填液を上部まで注入してこれを硬化させて、Ｕ字形部１０とＣ形長尺材の切離部７との間の連結部の隙間を密封して地下水の流入を遮断する。
【００１２】  Ｃ形長尺材の内部空間８に充填液圧送用鋼管１２を設置して、上方に設置したタンク１４内の充填液をピストン１５よる押圧、振動押圧又は圧縮空気圧により圧送用鋼管１２を通過して、その底の開口１８よりＣ形長尺材４内に噴出させ、内部の空間８を下方より充満させるようにする。
充填液としてはモルタルに経時硬化性合成樹脂、発泡性経時硬化性合成樹脂等があるが、何れも流動性は良好でないので上記のように鋼管１２内を圧送し、この管の底の開口１３より押出す必要がある、そして液面の上昇に順次鋼管１２を引上げていくことが望ましい、又鋼管１２とＣ形長尺材４は密接させておくため、鋼管１２を磁性化させることも可能である。
【符号の説明】
【００１３】  １・・・最初の止水用鋼矢板                  ２・・・次の止水用鋼矢板
３・・・他方の縦端部                        ４・・・Ｃ形長尺材
５・・・Ｃ形長尺材の底面                    ６・・・底面の切込部
７・・・Ｃ形長尺材の縦方向の切離部          ８・・・Ｃ形長尺材の内部空間
９・・・片方の縦端部                      １０・・・Ｕ字形部
１１・・・Ｕ字形部のＵ字底                  １２・・・充填液圧送用鋼管
１３・・・圧送用鋼管の底の開口              １４・・・充填液用タンク
１５・・・タンク内のピストン                １６・・・Ｈ字形部
１７・・・Ｈ字形部のＨ字中央                １８・・・底面の切込部
１９・・・地面
【図１】
2015086673.tif 000003
【図２】
2015086673.tif 000004
【図３】
2015086673.tif 000005
【図４】
2015086673.tif 000006
2015086673.tif 000007
【図７】
2015086673.tif 000008
【手続補正書】
【提出日】平成25年12月10日(2013.12.10)
【手続補正１】
【補正対象書類名】図面
【補正対象項目名】全図
【補正方法】変更
【補正の内容】
【図１】
2015086673.tif 000009
【図２】
2015086673.tif 000010
【図３】
2015086673.tif 000011
【図４】
2015086673.tif 000012
【図５】
2015086673.tif 000013
【図６】
2015086673.tif 000014
【図７】
2015086673.tif 000015